(57)【要約】【課題】ＰＣ等の端末装置を用いて地上デジタル放送を視聴するにあたり、地上デジタル放送を専用のアプリケーション上で表示させるのではなく、汎用のＷｅｂブラウザ上で表示させる。【解決手段】地上デジタルポータルシステム１０は、デジタル放送を受信するチューナ１４と、チューナ１４で受信したデジタル放送信号から映像データとデータ放送のデータを取り出す信号処理部１９と、信号処理部１９で取り出した映像データ及びデータ放送のデータを基に、汎用のＷｅｂブラウザ上で表示するための画像情報を生成するブラウザ処理部２２と、ブラウザ処理部２２で生成された画像情報を汎用のＷｅｂブラウザ上に表示する表示部２４と、を備える。【選択図】図４
2009212643.tif 000002
【特許請求の範囲】
【請求項１】
デジタル放送を受信するチューナと、
前記チューナで受信したデジタル放送信号から映像データとデータ放送のデータを取り出す信号処理部と、
前記信号処理部で取り出した映像データ及びデータ放送のデータを基に、汎用のＷｅｂブラウザ上で表示するための画像情報を生成するブラウザ処理部と、
前記ブラウザ処理部で生成された画像情報を汎用のＷｅｂブラウザ上に表示する表示部と、
を備える地上デジタルポータルシステム。
【請求項２】
ネットワークを介してＷｅｂデータを受信するＷｅｂ送受信部と、
をさらに備え、
前記ブラウザ処理部は、
前記信号処理部で取り出した映像データ及びデータ放送のデータと、前記Ｗｅｂ送受信部で受信したＷｅｂデータとを組み合わせて、汎用のＷｅｂブラウザ上で表示するための画像情報を生成する、
ことを特徴とする請求項１記載の地上デジタルポータルシステム。
【請求項３】
前記ブラウザ処理部で生成される画像情報は、デジタル放送再生エリアと、通信用エリアとを備え、
前記デジタル放送再生エリアに表示される画像は、前記信号処理部で取り出した映像データ及びデータ放送のデータに基づいて生成され、
前記通信用エリアに表示される画像は、前記Ｗｅｂ送受信部で受信したＷｅｂデータに基づいて生成される、
ことを特徴とする請求項２記載の地上デジタルポータルシステム。
【請求項４】
前記デジタル放送再生エリアは、番組放送エリアと、番組表エリアとを備え、
前記番組放送エリアに表示される画像は、前記信号処理部で取り出した映像データに基づいて生成され、
前記番組表エリアに表示される画像は、前記信号処理部で取り出したデータ放送のデータに基づいて生成される、
ことを特徴とする請求項３記載の地上デジタルポータルシステム。
【請求項５】
前記通信用エリアは、インフォメーションスペースを備え、
前記インフォメーションスペースにおいて、前記デジタル放送再生エリアで表示されている番組に関する種々の情報を提供する、
ことを特徴とする請求項４記載の地上デジタルポータルシステム。
【請求項６】
デジタル放送を受信するチューナと、受信したデジタル放送を表示させる表示部とを備える端末装置において、前記表示部に表示させる画像を生成する方法であって、
前記チューナで受信したデジタル放送信号から映像データとデータ放送のデータを取り出す信号処理ステップと、
前記信号処理ステップで取り出した映像データ及びデータ放送のデータを基に、汎用のＷｅｂブラウザ上で表示するための画像情報を生成するブラウザ処理ステップと、
前記ブラウザ処理ステップで生成された画像情報を汎用のＷｅｂブラウザ上に表示する表示ステップと、
を備える画像生成方法。
【請求項７】
ネットワークを介してＷｅｂデータを受信するＷｅｂ受信ステップと、
をさらに備え、
前記ブラウザ処理ステップは、
前記信号処理ステップで取り出した映像データ及びデータ放送のデータと、前記Ｗｅｂ受信ステップで受信したＷｅｂデータとを組み合わせて、汎用のＷｅｂブラウザ上で表示するための画像情報を生成する、
ことを特徴とする請求項６記載の画像生成方法。
【請求項８】
請求項７に記載の画像生成方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、地上デジタル放送をブラウザ上で表示するための情報処理技術に関する。
【背景技術】
【０００２】
従来、テレビ放送はアナログ放送であったが、電波の有効利用やテレビ放送の高画質化・高機能化を推進するため、地上デジタル放送（「地デジ」等ともいう。）への移行が推進されている。日本では、２００３年１２月より東京、名古屋、三大都市圏で地上デジタル放送が開始され、２０１１年までに全ての地域で地上デジタル放送を受信可能にすることを目標に各地の送信所・中継局の整備が進められている。
【０００３】
地上デジタル放送を受像するには対応したチューナが必要で、既存のテレビでもチューナを購入すれば視聴することができる。また、パーソナルコンピュータ（以下「ＰＣ」という。）等でもチューナを組み込むことにより地上デジタル放送を視聴できるようになる。
【０００４】
例えば、特許文献１には、地上波デジタル放送チューナを備え、ＰＣの画面にテレビ番組を表示するものが開示されている。
【特許文献１】特開２００６−０９９３７９号公報
【発明の開示】
【発明が解決しようとする課題】
【０００５】
ところで、特許文献１記載の発明では、特許文献１の図１に示されるように、ＰＣの画面に、テレビ番組を含むウィンドウと、そのテレビ番組に関連づけられたホームページを含むウィンドウを同時に表示させることが開示されている。
【０００６】
しかし、特許文献１を含む従来技術においては、ＰＣにチューナを備えて当該ＰＣの画面上でテレビ番組を表示させる場合、チューナメーカー等が独自に用意した専用のテレビ番組表示用アプリケーションを利用して、番組映像、ＣＭ、番組表等を表示させなければならない。そのため、ＰＣ上でテレビ番組視聴しながら同時にＷｅｂサイトを閲覧する場合、テレビ番組用に専用のアプリケーションを起動し、同時に、Ｗｅｂサイトは汎用のＷｅｂブラウザを起動し、それぞれ別ウィンドウで表示させる必要があり、ユーザの利便性を欠くことが指摘されている。また、番組とＷｅｂサイトとを別ウィンドウで表示させるため、番組とＷｅｂサイトを連動させたサービス提供することが困難である。
【０００７】
本発明は、かかる事情に鑑みてなされたものであり、ＰＣ等の端末装置を用いて地上デジタル放送を視聴するにあたり、地上デジタル放送を専用のアプリケーション上で表示させるのではなく、汎用のＷｅｂブラウザ上で表示させることのできるシステムを提供することを目的とする。
【課題を解決するための手段】
【０００８】
上記課題を解決するために、本発明による地上デジタルポータルシステムは、デジタル放送を受信するチューナと、チューナで受信したデジタル放送信号から映像データとデータ放送のデータを取り出す信号処理部と、信号処理部で取り出した映像データ及びデータ放送のデータを基に、汎用のＷｅｂブラウザ上で表示するための画像情報を生成するブラウザ処理部と、ブラウザ処理部で生成された画像情報を汎用のＷｅｂブラウザ上に表示する表示部と、を備える。
【０００９】
また、好適には、ネットワークを介してＷｅｂデータを受信するＷｅｂ送受信部と、をさらに備え、ブラウザ処理部は、信号処理部で取り出した映像データ及びデータ放送のデータと、Ｗｅｂ送受信部で受信したＷｅｂデータとを組み合わせて、汎用のＷｅｂブラウザ上で表示するための画像情報を生成する、ことを特徴とする。
【００１０】
さらに好適には、ブラウザ処理部で生成される画像情報は、デジタル放送再生エリアと、通信用エリアとを備え、デジタル放送再生エリアに表示される画像は、信号処理部で取り出した映像データ及びデータ放送のデータに基づいて生成され、通信用エリアに表示される画像は、Ｗｅｂ送受信部で受信したＷｅｂデータに基づいて生成される、ことを特徴とする。
【００１１】
また、好適には、デジタル放送再生エリアは、番組放送エリアと、番組表エリアとを備え、番組放送エリアに表示される画像は、信号処理部で取り出した映像データに基づいて生成され、番組表エリアに表示される画像は、信号処理部で取り出したデータ放送のデータに基づいて生成される、ことを特徴とする。
【００１２】
さらに好適には、通信用エリアは、インフォメーションスペースを備え、インフォメーションスペースにおいて、デジタル放送再生エリアで表示されている番組に関する種々の情報を提供する、ことを特徴とする。
【００１３】
また、本発明による画像生成方法は、デジタル放送を受信するチューナと、受信したデジタル放送を表示させる表示部とを備える端末装置において、表示部に表示させる画像を生成する方法であって、チューナで受信したデジタル放送信号から映像データとデータ放送のデータを取り出す信号処理ステップと、信号処理ステップで取り出した映像データ及びデータ放送のデータを基に、汎用のＷｅｂブラウザ上で表示するための画像情報を生成するブラウザ処理ステップと、ブラウザ処理ステップで生成された画像情報を汎用のＷｅｂブラウザ上に表示する表示ステップと、を備える。
【００１４】
本発明のプログラムは、本発明の画像生成方法の各処理ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１５】
なお、本明細書等において、「・・部」とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１６】
本発明の地上デジタルポータルサイトシステムによれば、ＰＣ等のユーザ端末を用いて地上デジタル放送を視聴するにあたり、地上デジタル放送を専用のアプリケーション上で表示させることなく、汎用のＷｅｂブラウザ上で表示させることのできるシステムを提供することができる。
【発明を実施するための最良の形態】
【００１７】
以下、本発明の実施の形態について図面を参照しつつ詳細に説明する。なお、同一の要素には同一の符号を付し、重複する説明を省略する。
【００１８】
図１は、本発明の一実施形態に係る地上デジタル放送ポータルサイトシステム（以下「地デジポータルシステム」という。）１０を含む全体システム１００の概略構成を示すブロック図である。図１に示すように、本地デジポータルシステム１０は、放送局２から放送された地上デジタル放送を受信可能に構成される。また、地デジポータルシステム１０は、ネットワークＮに接続され、一以上のＷｅｂサーバ４から送信されたデータを受信できるように構成される。
【００１９】
また、放送局２は、地上デジタル放送を放送することのできる技術的な実体システムを意味する。
【００２０】
Ｗｅｂサーバ４は、ネットワークＮに接続され、いわゆるＷｅｂサーバとして機能するコンピュータである。本実施形態において、Ｗｅｂサーバ４は、地デジポータルシステム１０に対して、例えば、広告、番組の補足情報、商品販売等のサービスを提供する。なお、本実施形態において、Ｗｅｂサーバとは、Ｗｅｂアプリケーションサーバ等をも含む概念として捉えてもよい。
【００２１】
ネットワークＮは、地デジポータルシステム１０とＷｅｂサーバ４との間でデータを送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００２２】
図２は、本発明の一実施形態に係る地デジポータルシステム１０の構成を示すブロック図である。地デジポータルシステム１０は、視聴者が地上デジタル放送を視聴するための端末装置であり、図２に示すように、アンテナ１２と、チューナ１４と、トランスポートストリーム処理部（以下「ＴＳ処理部」という。）１６と、ＭＰＥＧ処理部１８と、Ｗｅｂ送受信部２０と、ブラウザ処理部２２と、プラグイン２３と、表示部２４と、音声出力部２６と、制御部２８とを備える。
【００２３】
アンテナ１２は、地上デジタル放送を受信するアンテナであり、地上デジタル放送の使用周波数に対応している。チューナ１４は、アンテナ１２を通して地上デジタル放送の信号を受信し、ＴＳ処理部１６に出力する機能を備える。このチューナ１４は、例えば、受信回路により構成される。
【００２４】
ＴＳ処理部１６は、受信された地上デジタル放送信号を、映像・音声・データ放送を含むＭＰＥＧ−２  ＴＳ形式の信号に変換し、ＭＰＥＧ処理部１８に出力する機能を備える。このＴＳ処理部１６は、例えば、復調回路により構成される。
【００２５】
ＭＰＥＧ処理部１８は、地上デジタル放送信号から復調したＭＰＥＧ−２  ＴＳ信号をデコード処理して、映像データ、音声データ、データ放送に関するデータを取り出し、ブラウザ処理部２２に出力する機能を備える。このＭＰＥＧ処理部１８は、例えば、復号器により構成される。
【００２６】
なお、本実施形態においては、ＴＳ処理部１６とＭＰＥＧ処理部１８とを分けて構成する例を示したが、これらをまとめて一つの信号処理部１９として構成してもよい。このとき、信号処理部１９は、受信した地上デジタル放送信号をチューナ１４から受け取り、映像データ、音声データ、及びデータ放送に関するデータを取り出し、ブラウザ処理部２２に出力する。
【００２７】
Ｗｅｂ送受信部２０は、ネットワークＮを介して接続されるＷｅｂサーバ４からＷｅｂデータを受信する機能を少なくとも備える。このとき、Ｗｅｂサーバ４に対してリクエストを送信することによって当該Ｗｅｂサーバ４からＷｅｂデータを受信してもよいし、また、Ｗｅｂサーバ４に対してリクエストを行わず、Ｗｅｂサーバ４側からプッシュされるＷｅｂデータを受信してもよい。また、Ｗｅｂ送受信部２０は、Ｗｅｂサーバ４から受信したＷｅｂデータをブラウザ処理部２２に出力する。なお、Ｗｅｂデータとは、Ｗｅｂサーバ４が提供する任意のデータであり、ＨＴＭＬ形式のデータやＦｌａｓｈ（商標）形式のデータ等、汎用のＷｅｂブラウザで処理可能なデータを含む。
【００２８】
ブラウザ処理部２２は、放送局２による地上デジタル放送から取得したデータと、Ｗｅｂサーバ４から取得したデータとに基づいて、画像情報（動画を含む）及び音声情報を生成し、それぞれ表示部２４及び音声出力部２６に送出する機能を備えている。また、ブラウザ処理部２２は、ユーザの指示等に応じて、Ｗｅｂ送受信部２０を介して所定のＷｅｂサーバ４に対してＷｅｂデータのリクエストを送信する機能を備えることが好ましい。
【００２９】
このブラウザ処理部２２は、Ｉｎｔｅｒｎｅｔ  Ｅｘｐｌｏｒｅｒ（商標）やＦｉｒｅｆｏｘ（商標）等の汎用のＷｅｂブラウザに、プラグイン２３をインストールすることにより構成されることが好ましい。この場合、プラグイン２３は、具体的には、ＭＰＥＧ処理部１８で復号された映像データ及びデータ放送に関するデータと、Ｗｅｂ送受信部２０で受信したＷｅｂデータのうち画像及び映像に関するデータとを組み合わせて画像情報を生成し、また、ＭＰＥＧ処理部１８で復号された音声データと、Ｗｅｂ送受信部２０で受信したＷｅｂデータのうち音声に関するデータとを組み合わせて音声情報を生成する機能を備える。
【００３０】
表示部２４は、ブラウザ処理部２２で生成された画像情報をＷｅｂブラウザ上に表示する機能を備える。この表示部２４は、例えば、ディスプレイ等の表示器により構成される。音声出力部２６は、ブラウザ処理部２２で生成された音声情報に基づいて、音声を出力する機能を備える。この音声出力部は、例えば、スピーカにより構成される。
【００３１】
制御部２８は、ＣＰＵを主体に構成され、地デジポータルシステム１０を構成する各部及び全体の動作並びに処理を制御する機能を備える。また、図示省略するが、地デジポータルシステム１０は、処理に必要なデータを格納するＲＯＭや作業領域として機能するＲＡＭ等を含むメモリ、各種の情報を格納するハードディスク等の記憶装置、入出力インタフェース、及び各部を結ぶバスを備える。
【００３２】
なお、地デジポータルシステム１０は、汎用のＰＣ、専用のコンピュータ、又は、携帯電話機を含む携帯端末装置等により構成可能である。例えば、汎用のＰＣにより地デジポータルシステム１０を構成する場合、アンテナ１２、チューナ１４、ＴＳ処理部１６、及びＭＰＥＧ処理部１８を含んで構成される拡張カードを、ＰＣのＰＣＩスロットやＰＣＭＣＩＡスロットなどに挿入した上で、Ｉｎｔｅｒｎｅｔ  Ｅｘｐｌｏｒｅｒ（商標）やＦｉｒｅｆｏｘ（商標）等のＷｅｂブラウザにプラグイン２３をインストールしてブラウザ処理部２２を構成することにより、地デジポータルシステム１０を実現することができる。また、拡張カードの換わりに、アンテナ１２、チューナ１４、ＴＳ処理部１６、及びＭＰＥＧ処理部１８を含むボードをＰＣに内蔵させたり、アンテナ１２、チューナ１４、ＴＳ処理部１６、及びＭＰＥＧ処理部１８を含むユニットをＵＳＢ接続してもよいことはいうまでもない。
【００３３】
次に、このように構成される地デジポータルシステム１０の動作の概要について説明する。
【００３４】
図３は、地デジポータルシステム１０による処理の流れを示すフローチャートである。
【００３５】
まず、地デジポータルシステム１０は、アンテナ１２を介して放送局２から放送された地上デジタル放送を受信し、チューナ１４で電気信号に変換する（Ｓ３１）。次に、ＴＳ処理部１６で、地上デジタル放送の電気信号から、ＭＰＥＧ−２  ＴＳ形式の信号に変換する（Ｓ３２）。その後、ＭＰＥＧ処理部１８にて、ＭＰＥＧ−２  ＴＳ信号をデコードして、映像データ、音声データ、データ放送に関するデータを取得して、これらのデータをブラウザ処理部２２に渡す（Ｓ３３）。
【００３６】
一方、地上デジタル放送の受信と並行又は前後して、Ｗｅｂ送受信部２０は、Ｗｅｂサーバ４からＷｅｂデータを受信して、受信したＷｅｂデータをブラウザ処理部２２に渡す（Ｓ３４）。
【００３７】
ブラウザ処理部２２は、ＭＰＥＧ処理部１８から受け取った映像データ、音声データ、及びデータ放送に関するデータと、Ｗｅｂ送受信部２０から受け取ったＷｅｂデータとを組み合わせて、表示部２４及び音声出力部２６に出力する画像情報と音声情報を生成する（Ｓ３５）。そして、生成された画像情報を表示部２４に渡してＷｅｂブラウザ上に画像を表示し、音声情報を音声出力部２６に渡して音声出力する（Ｓ３６）。
【００３８】
このとき、本発明においては、地上デジタル放送から受信した番組等の映像が、Ｗｅｂブラウザ以外の別アプリケーション上で表示されるのではなく、Ｗｅｂブラウザ上で表示される点に特徴を有する。すなわち、ブラウザ処理部２２は、地上デジタル放送を受信して得られた番組等の映像データ及びデータ放送のデータと、Ｗｅｂサーバ４から取得したＷｅｂデータとを組み合わせて、Ｗｅｂブラウザ上にまとめて表示する。
【００３９】
図４は、地デジポータルシステム１０で表示される画面の一例を示すイメージ図である。
【００４０】
本実施形態においては、汎用のＷｅｂブラウザ４０上にデジタル放送再生エリア４１を設けている。このデジタル放送再生エリア４１内に表示させる情報は、地上デジタル放送網から取得したデータを利用する。例えば、デジタル放送再生エリア４１を番組放送エリア４１１と番組表エリア４１２に分割する。そして、番組放送エリア４１１には、地上デジタル放送を受信して取得した映像データを用いて、番組（ＣＭ等を含む）の映像を表示する。また、番組表エリア４１２には、地上デジタル放送を受信して取得したデータ放送のデータを用いて、番組表を生成、表示する。このとき、番組放送エリア４１１で流れる番組は、番組表エリア４１２に表示された番組表からユーザが選択した番組を表示させることが好ましい。
【００４１】
また、Ｗｅｂブラウザ４０上のデジタル放送再生エリア４１以外の領域は、Ｗｅｂデータを表示するための通信用エリア４２として利用される。通信用エリア４２は、通常のＷｅｂブラウザと同様に、ネットワークＮを介してＷｅｂサーバ４から取得したＷｅｂデータに基づいて、表示画面が生成される。
【００４２】
さらに、通信用エリア４２は、インフォメーションスペース４２１を含むことが好ましい。このインフォメーションスペース４２１は、デジタル放送再生エリア４１で流されている番組に関する種々の情報を提供するために利用される。例えば、広告スペースとして活用することができる。また、番組の補足情報を提供したり、番組サイトへの誘導を行うことも好ましい。他にも、番組中で使用された商品等の販売を行う電子商取引（ｅコマース）スペースとしての利用も見込まれる。また、番組のＳＮＳ（ソーシャル・ネットワーキング・サービス）、ブログ、ＲＳＳ（リッチ・サイト・サマリ）等を展開してもよい。さらに、番組出演者とのチャットやＷｅｂカメラなど、番組との連動企画を行うことも可能である。
【００４３】
以上のとおり、本発明では、番組映像、ＣＭ、番組表等の一切の情報は、地上デジタル放送のチューナメーカー等が独自に用意した専用のアプリケーション上で表現されるのではなく、汎用のブラウザ上で表現される。これにより、ユーザは地上デジタル放送用の専用ブラウザを用意する必要がないため、ユーザの利便性が増す。また、汎用のブラウザ上で、番組とＷｅｂデータ（インターネット）とを連動した情報を提供できるため、番組に新たな魅力を付加することが可能になる。
【００４４】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００４５】
また、本実施形態では、動画にＭＰＥＧ−２を利用する場合について説明したが、ＭＰＥＧ−２以外の形式の動画データを利用してもよい。例えば、携帯端末装置向けには、ＭＰＥＧ−４を利用するのが好ましい。
【図面の簡単な説明】
【００４６】
【図１】地デジポータルシステム１０を含む全体システム１００の概略構成を示すブロック図である。
【図２】地デジポータルシステム１０の構成を示すブロック図である。
【図３】地デジポータルシステム１０による処理の流れを示すフローチャートである。
【図４】地デジポータルシステム１０で表示される画面の一例を示すイメージ図である。
【符号の説明】
【００４７】
２     放送局
４     Ｗｅｂサーバ
１０   地上デジタルポータルサイトシステム（地デジポータルシステム）
１２   アンテナ
１４   チューナ
１６   トランスポートストリーム処理部（ＴＳ処理部）
１８   ＭＰＥＧ処理部
１９   信号処理部
２０   Ｗｅｂ送受信部
２２   ブラウザ処理部
２３   プラグイン
２４   表示部
２６   音声出力部
２８   制御部
Ｎ     ネットワーク
【図２】
2009212643.tif 000003
【図３】
2009212643.tif 000004
【図１】
2009212643.tif 000005
【図４】
2009212643.tif 000006